(57)【要約】      （修正有）【課題】ドアノブ等の鍵穴に錠付カバーを被せ、そのカバーを開けないと鍵穴にアクセス出来ない様にする事。【解決手段】ボールとカバーを取り付けた二つ割プレート（上）と、同様にボールとカバーを取り付けた二つ割プレート（下）とをはめ合わせ、プレートの貫通穴よりベースのボルト６を締め付け、器具一式を扉表面に固定する。その後、前記貫通穴にシリンダー錠を取り付け施錠する事により、前記ボルトへのアクセスが出来ないようにする。鍵付窓１５の鍵ボックス１６を解錠後、鍵付窓を開ける事により主キー１７で主鍵穴にアクセス出来るようにする。【選択図】  図２
2006348714.tif 000002
【特許請求の範囲】
【請求項１】
主キーのスペアキーに対する防犯対策として、ドアノブ又はドアレバーの回転軸を使って固定する器具に、主キーを使う前のサブキーを設けた鍵付きの防犯器具。
【請求項２】
以下のサブキーを設けた鍵付きの防犯器具。
１；機械式暗証番号キー
２；一般的な錠
【請求項３】
器具の取り付け方法は、最低限の工具を使用、あるいは工事を必要としない方法とし、取り付け部をシリンダー錠で覆い被せ、鍵なしでの取り外しを不可能にする防犯器具。
【発明の詳細な説明】
【技術分野】
【０００１】この発明は既存のマンション等の出入り口にある鍵に対して、ドアや鍵穴、ドアノブに対して加工や細工を施す必要なしに鍵穴に対するアクセスの制限をする為の防犯措置を設けるものである。
【背景技術】
【０００２】従来、多くのドアノブまたはドアの鍵は、鍵穴が露出されており、鍵穴そのものに対するイタズラや開錠を防ぐ事ができなかった。また、きれいに解錠された場合（壊されない場合）、住居人が犯行の手がかりを見つけることが困難な状況に置かれていた。つまり、その犯行が、小額、少量の場合とか、キャッシュ・カードを短時間のうちに引き出し、元に戻しておくといった巧妙な手口の場合は、対処の遅れを
余儀なくされていた。さらに、犯人が、カギ師クラスの技術を持った“ストーカー”であった場合、ドア付近に手掛かりとなるものが無ければ、部屋の中で待ち受ける犯人に気付かず、住居人は危険にさらされることになり、それを防ぐ事が出来なかった。
【発明の開示】
【課題が解決しようとする課題】
【０００３】本発明は、それらの欠点を無くすために、
１．  鍵穴、及びその周辺部を覆うカバーである事
２．  戸や周辺部に、取り付け用の穴加工やボルトどめをする必要が無い構造とし、引越時に修理等をする必要が無い事とする。
３．  装置自体が安価で、最低限の付属工具で取り付け、取り外しが出来る物とする。
４．  装置の鍵については、暗証番号、又は住居人しか持ちえない鍵とする。
【課題を解決するための手段】
【０００４】（５）ベースを（１）ドアノブと（２）主鍵穴の位置に合わせて、（６）押しねじと（７）硬質プラスチック製パッドを取り付ける。
（５）ベースにはあらかじめ（３）押しねじと（４）止ナットが取り付けられ、（２）主鍵穴のボスを挟み込んで（３）押しねじと（４）止ナットを調節して、（５）ベースを固定する。
そして、（８）二つ割プレート（下）を（１）ドアノブの下より（５）ベースと（１）ドアノブの間に挟みこむ。
（８）二つ割プレート（下）には、ボール状の穴が掘ってあり、そこに（９）ボールを入れ込み（１０）カバーをする。
（１１）カバー取り付けボルトを締めると、（９）ボールが（１０）カバー表面から若干飛び出し、その部分で（１）ドアノブとの接点を持つ事とする。同様に、（９）のボールと（１０）のカバーを取り付けた（１２）二つ割プレート（上）を（８）二つ割プレート（下）とはめ合わせ、プレート貫通穴より（５）ベースに付いている（６）ボルトを締め付け、器具一式を（１）ドアノブと、扉表面に突っ張らせて固定する。
その後、（１３）シリンダー錠を（１４）シリンダー錠のキーで取り付ける事により、（６）ボルトへのアクセスが出来ないようにする。
（１５）鍵付窓には、（１６）鍵ボックスが付いていて、その鍵を明ける事によってはじめて、（１７）主キーが（２）主鍵穴にアクセス出来る。
レバー式ドアの場合、（１９）フランジ付プレート（上）と（２０）フランジ付プレート（下）を、（１８）ボルトで取り付けた後、器具一式を取り付ける。
【発明の効果】
【０００５】本発明は、以上のような構成から、
１．  住居人本人が、簡単に取り付け・とりはずしが出来る。
２．  本体、及びプレートはアルミ製とし、軽くかつ破壊する事が難しく、部屋への侵入をより困難なものにする事が出来る。
３．  機械式暗証番号キーを使用する場合、暗証番号を任意に変更出来るので、住居人以外の人が鍵穴へのアクセスをする事を限りなく不可能にする。
【発明を実施するための最良の形態】
【０００６】鍵付きの鍵カバー
構成
（５）ベースにはタップ穴があり、（６）押しねじを取り付け、（７）硬質プラスチックパッドに取り付けてある。
また、（５）ベースには、（４）止ナットを取り付けた（３）押しねじを取り付ける。
（８）二つ割プレート（下）と（１２）二つ割プレート（上）には、（９）ボールが取り付けられており（１０）カバーを取り付け、（１１）カバー取り付けボルトでふさいである。
（５）ベースに（８）二つ割プレート（下）と（１２）二つ割プレート（上）を取り付けたものに、（１３）シリンダー錠を（１４）シリンダー錠のキーで取り付ける。
作用
（５）ベースを（１）ドアノブと（２）主鍵穴の位置に合わせて、（６）押しねじと（７）硬質プラスチック製パッドを取り付ける。
（５）ベースにはあらかじめ（３）押しねじと（４）止ナットが取り付けられ、（２）主鍵穴のボスを挟み込んで（３）押しねじと（４）止ナットを調節して、（５）ベースを固定する。
そして、（８）二つ割プレート（下）を（１）ドアノブの下より（５）ベースと（１）ドアノブの間に挟みこむ。
（８）二つ割プレート（下）には、ボール状の穴が掘ってあり、そこに（９）ボールを入れ込み（１０）カバーをする。
（１１）カバー取り付けボルトを締めると、（９）ボールが（１０）カバー表面から若干飛び出し、その部分で（１）ドアノブとの接点を持つ事とする。
同様に、（９）のボールと（１０）のカバーを取り付けた（１２）二つ割プレート（上）を（８）二つ割プレート（下）とはめ合わせ、プレート貫通穴より（５）ベースに付いている（６）ボルトを締め付け、器具一式を（１）ドアノブと、扉表面に突っ張らせて固定する。
その後、（１３）シリンダー錠を（１４）シリンダー錠のキーで取り付ける事により、（６）ボルトへのアクセスが出来ないようにする。
（１５）鍵付窓には、（１６）鍵ボックスが付いていて、その鍵を明ける事によってはじめて、（１７）主キーが（２）主鍵穴にアクセス出来る。
レバー式ドアの場合、（１９）フランジ付プレート（上）と（２０）フランジ付プレート（下）を、（１８）ボルトで取り付けた後、器具一式を取り付ける。
【図面の簡単な説明】
【０００７】
【図１】鍵穴用正面図
【図２】鍵穴用側面図
【図３】部品及び組み付け図
【図４】レバー式ドアの場合
【図５】器具の使用図
【符号の説明】
【０００８】（１）：ドアノブ
（２）：主鍵穴
（３）：押しねじ
（４）：止ナット
（５）：ベース
（６）：押しねじ
（７）：硬質プラスチック製パッド
（８）：二つ割プレート（下）
（９）：ボール
（１０）：カバー
（１１）：カバー取り付けボルト
（１２）：二つ割プレート（上）
（１３）：シリンダー錠
（１４）：シリンダー鍵のキー
（１５）：鍵付窓
（１６）：鍵ボックス
（１７）：主キー
（１８）：ボルト
（１９）：フランジ付プレート（上）
（２０）：フランジ付プレート（下）
【図１】
2006348714.tif 000003
【図２】
2006348714.tif 000004
【図３】
2006348714.tif 000005
【図４】
2006348714.tif 000006
【図５】
2006348714.tif 000007